(57)【要約】通信システムのネットワーク・ノードへのデータのアップリンク送信を制御するためのユーザ機器ノードによる方法が開示される。この方法は、ＣＥＬＬ＿ＦＡＣＨ状態における拡張アップリンクを構成するためのパラメータを受信する工程と、ユーザ機器ノードがＣＥＬＬ＿ＦＡＣＨ状態においてＥ−ＤＣＨで通信できるかを判定し、追加の所定の条件が満たされているかを判定する工程と、ユーザ機器ノードがＣＥＬＬ＿ＦＡＣＨ状態においてＥ−ＤＣＨで通信可能でないと判定したことに応答して、Ｅ−ＲＮＴＩを取得するためにセル更新動作を実行する工程とを含む。この方法はまた、ユーザ機器ノードがＣＥＬＬ＿ＦＡＣＨ状態においてＥ−ＤＣＨで通信可能であると判定し、追加の所定の条件が満たされると判定したことに応答して、ネットワーク・ノードへＥ−ＤＣＨトランスポート・チャネルでアップリンク・データを送信する工程を含む。関連するユーザ機器ノードも開示される。
2015530020.tif 000002
【特許請求の範囲】
【請求項１】
通信システムのネットワーク・ノード（１２０）へのデータのアップリンク送信を制御するためのユーザ機器ノード（１１０）による方法であって、
ＣＥＬＬ＿ＦＡＣＨ状態における拡張アップリンクを構成するためのパラメータを受信する工程（２００）と、
拡張アップリンクを構成するための前記パラメータを受信したことに応答して、前記ユーザ機器ノード（１１０）がＣＥＬＬ＿ＦＡＣＨ状態において拡張アップリンク個別チャネル、すなわちＥ−ＤＣＨ、で通信可能かを判定する工程（２０２）と、
前記ユーザ機器ノード（１１０）がＣＥＬＬ＿ＦＡＣＨ状態においてＥ−ＤＣＨで通信可能でないと判定したことに応答して、前記ユーザ機器ノード（１１０）のためのＥ−ＤＣＨ無線ネットワーク一時識別子、すなわちＥ−ＲＮＴＩ、値を取得するためにセル更新動作を実行する工程（５０４）とを有することを特徴とする方法。
【請求項２】
前記ユーザ機器ノード（１１０）がＣＥＬＬ＿ＦＡＣＨ状態においてＥ−ＤＣＨで通信可能かを判定する工程は、前記ユーザ機器ノード（１１０）が使用可能なＥ−ＲＮＴＩ値を有するかを判定する工程を含むことを特徴とする請求項１に記載の方法。
【請求項３】
前記ユーザ機器ノード（１１０）がＣＥＬＬ＿ＦＡＣＨ状態においてＥ−ＤＣＨで通信可能かを判定する工程は、追加の所定の条件を満たしているかを判定する工程を更に含むことを特徴とする請求項２に記載の方法。
【請求項４】
前記追加の所定の条件は、前記ユーザ機器ノード（１１０）がＣＥＬＬ＿ＦＡＣＨ状態におけるＥ−ＤＣＨ送信をサポートするかと、情報要素“ＨＳ−ＤＳＣＨ共通システム情報”が前記ネットワーク・ノード（１２０）から受信されたかと、情報要素“共通Ｅ−ＤＣＨシステム・インフォ”が前記ネットワーク・ノード（１２０）から受信されたかとを含むことを特徴とする請求項３に記載の方法。
【請求項５】
前記ユーザ機器ノード（１１０）が使用可能なＥ−ＲＮＴＩ値を有しており且つ前記追加の所定の条件を満たしていると判定したことに応答して、前記ネットワーク・ノード（１２０）へＥ−ＤＣＨトランスポート・チャネルでアップリンク・データを送信する工程を更に有することを特徴とする請求項４に記載の方法。
【請求項６】
前記追加の所定の条件のいずれかが満たされないと判定したことに応答して、ランダム・アクセス・チャネル、すなわちＲＡＣＨ、でＣＥＬＬ＿ＦＡＣＨ状態においてデータを送信する工程（２０６）を更に有することを特徴とする請求項４に記載の方法。
【請求項７】
前記ユーザ機器ノード（１１０）がＣＥＬＬ＿ＦＡＣＨ状態においてＥ−ＤＣＨで通信できないと判定したことに応答して、ランダム・アクセス・チャネル、すなわちＲＡＣＨ、でＣＥＬＬ＿ＦＡＣＨ状態においてデータを送信する工程（４０６）を更に有することを特徴とする請求項１乃至５の何れか１項に記載の方法。
【請求項８】
前記ユーザ機器ノード（１１０）がＣＥＬＬ＿ＦＡＣＨ状態においてＥ−ＤＣＨで通信できると判定したことに応答して、前記ネットワーク・ノード（１２０）へＥ−ＤＣＨトランスポート・チャネルでアップリンク・データを送信する工程を更に有することを特徴とする請求項１乃至７の何れか１項に記載の方法。
【請求項９】
前記ユーザ機器ノード（１１０）がＣＥＬＬ＿ＦＡＣＨ状態で動作中に、
１）前記ユーザ機器ノード（１１０）がＣＥＬＬ＿ＦＡＣＨ状態におけるＥ−ＤＣＨ送信をサポートするという条件と、
２）情報要素“ＨＳ−ＤＳＣＨ共通システム情報”が、受信したシステム情報ブロック・タイプ５又は５の２に含まれるという条件と、
３）情報要素“共通Ｅ−ＤＣＨシステム・インフォ”が、前記受信したシステム情報ブロック・タイプ５又は５の２に含まれるという条件と、
４）変数Ｅ−ＤＣＨ無線ネットワーク一時識別子、すなわちＥ−ＲＮＴＩ、が前記ユーザ機器ノード（１１０）で利用可能であるという条件と
が真であるかを判定する工程（３００）と、
前記条件の何れかが真でないと判定したことに応答して、前記ユーザ機器ノード（１１０）内の変数ＲＥＡＤＹ＿ＦＯＲ＿ＣＯＭＭＯＮ＿ＥＤＣＨにＦＡＬＳＥを示す値を設定する工程（３０４）とを更に有することを特徴とする請求項１乃至３の何れか１項に記載の方法。
【請求項１０】
前記条件のすべてが真であると判定したことに応答して、前記変数ＲＥＡＤＹ＿ＦＯＲ＿ＣＯＭＭＯＮ＿ＥＤＣＨにＴＲＵＥを示す値を設定する工程を更に有することを特徴とする請求項９に記載の方法。
【請求項１１】
ランダム・アクセス・チャネル、すなわちＲＡＣＨ、トランスポート・チャネルでＣＥＬＬ＿ＦＡＣＨ状態におけるアップリンク・データの送信を続けることによって、ＣＥＬＬ＿ＦＡＣＨ状態における拡張アップリンクと、ＦＡＬＳＥを示す値を有する前記変数ＲＥＡＤＹ＿ＦＯＲ＿ＣＯＭＭＯＮ＿ＥＤＣＨとを構成するためのパラメータを前記ネットワーク・ノード（１２０）から受信したことに応答する工程を更に有することを特徴とする請求項９又は１０に記載の方法。
【請求項１２】
Ｅ−ＤＣＨトランスポート・チャネルでアップリンク・データの送信を開始することによって、ＣＥＬＬ＿ＦＡＣＨ状態における拡張アップリンクと、ＴＲＵＥを示す値を有する前記変数ＲＥＡＤＹ＿ＦＯＲ＿ＣＯＭＭＯＮ＿ＥＤＣＨとを構成するためのパラメータを前記ネットワーク・ノード（１２０）から受信したことに応答する工程を更に有することを特徴とする請求項９又は１０に記載の方法。
【請求項１３】
前記ユーザ機器ノード（１１０）内の前記変数ＲＥＡＤＹ＿ＦＯＲ＿ＣＯＭＭＯＮ＿ＥＤＣＨにＦＡＬＳＥを示す前記値を設定したことに応答して、Ｅ−ＲＮＴＩ値を取得するためにセル更新動作を実行する工程（５０４）を更に有することを特徴とする請求項９乃至１２の何れか１項に記載の方法。
【請求項１４】
ＣＥＬＬ＿ＦＡＣＨ状態における拡張アップリンクを構成するためのパラメータを受信する工程は、前記ネットワーク・ノード（１２０）からＥ−ＤＣＨ送信に関する情報要素を受信する工程（５００）を含むことを特徴とする請求項１に記載の方法。
【請求項１５】
前記情報要素は“共通Ｅ−ＤＣＨシステム・インフォ”情報要素を含むことを特徴とする請求項１４に記載の方法。
【請求項１６】
ユーザ機器ノード（１１０）であって、
送受信機（６１０）と、
前記送受信機（６１０）に結合されたプロセッサ（６００）とを備え、
前記プロセッサ（６００）は、ＣＥＬＬ＿ＦＡＣＨ状態における拡張アップリンクを構成するためのパラメータを前記送受信機を用いて受信し、前記ユーザ機器ノード（１１０）がＣＥＬＬ＿ＦＡＣＨ状態においてＥ−ＤＣＨで通信可能かを判定し、前記ユーザ機器ノード（１１０）がＣＥＬＬ＿ＦＡＣＨ状態においてＥ−ＤＣＨで通信可能でないと判定したことに応答して、前記ユーザ機器ノード（１１０）のためのＥ−ＤＣＨ無線ネットワーク一時識別子、すなわちＥ−ＲＮＴＩ、値を取得するためにセル更新動作を実行するように構成されることを特徴とするユーザ機器ノード（１１０）。
【請求項１７】
前記プロセッサは、前記ユーザ機器ノード（１１０）が使用可能なＥ−ＲＮＴＩ値を有するかを判定することによって、前記ユーザ機器ノード（１１０）がＣＥＬＬ＿ＦＡＣＨ状態においてＥ−ＤＣＨで通信可能かを判定するように構成されることを特徴とする請求項１６に記載のユーザ機器ノード（１１０）。
【請求項１８】
前記プロセッサは、ＣＥＬＬ＿ＦＡＣＨ状態における拡張アップリンクを構成するための前記パラメータを受信したことに応答して、追加の所定の条件を満たしているかを判定するように更に構成されることを特徴とする請求項１６又は１７に記載のユーザ機器ノード（１１０）。
【請求項１９】
前記追加の所定の条件は、前記ユーザ機器ノード（１１０）がＣＥＬＬ＿ＦＡＣＨ状態におけるＥ−ＤＣＨ送信をサポートするかと、情報要素“ＨＳ−ＤＳＣＨ共通システム情報”が前記ネットワーク・ノード（１２０）から受信されたかと、情報要素“共通Ｅ−ＤＣＨシステム・インフォ”が前記ネットワーク・ノード（１２０）から受信されたかとを含むことを特徴とする請求項１８に記載のユーザ機器ノード（１１０）。
【請求項２０】
前記プロセッサ（６００）は、前記ユーザ機器ノード（１１０）がＣＥＬＬ＿ＦＡＣＨ状態においてＥ−ＤＣＨで通信可能であり且つ前記追加の所定の条件を満たしていると判定したことに応答して、前記ネットワーク・ノード（１２０）へＥ−ＤＣＨトランスポート・チャネルでアップリンク・データを送信するように更に構成されることを特徴とする請求項１８又は１９に記載のユーザ機器ノード（１１０）。
【請求項２１】
前記プロセッサ（６００）は、前記追加の所定の条件のいずれかが満たされないと判定したことに応答して、ランダム・アクセス・チャネル、すなわちＲＡＣＨ、でＣＥＬＬ＿ＦＡＣＨ状態においてデータを送信するように更に構成されることを特徴とする請求項２０に記載のユーザ機器ノード（１１０）。
【請求項２２】
前記プロセッサ（６００）は、前記ユーザ機器ノード（１１０）がＣＥＬＬ＿ＦＡＣＨ状態においてＥ−ＤＣＨで通信できると判定したことに応答して、前記送受信機を用いてＥ−ＤＣＨトランスポート・チャネルでネットワーク・ノード（１２０）へアップリンク・データを送信するように更に構成されることを特徴とする請求項１６乃至２１の何れか１項に記載のユーザ機器ノード（１１０）。
【請求項２３】
前記プロセッサ（６００）は、前記ユーザ機器ノード（１１０）がＣＥＬＬ＿ＦＡＣＨ状態においてＥ−ＤＣＨで通信できないと判定したことに応答して、ランダム・アクセス・チャネル、すなわちＲＡＣＨ、でＣＥＬＬ＿ＦＡＣＨ状態においてデータを送信するように更に構成されることを特徴とする請求項１６乃至２１の何れか１項に記載のユーザ機器ノード（１１０）。
【発明の詳細な説明】
【技術分野】
【０００１】
＜関連出願＞
本願は２０１２年８月３日に出願され、“ＣＥＬＬ＿ＦＡＣＨにおける拡張アップリンクのためのユーザ機器ノードの制御及びシステム情報変更”という名称の米国仮出願第６１／６７９，２３０号への優先権の利益を主張し、当該仮出願の開示は参照によってその全体が本明細書に組み込まれる。
【０００２】
＜技術分野＞
本発明は通信ネットワークに関する。より具体的に、そして限定ではなく、本発明はネットワーク・ノードとユーザ機器ノードとの間の通信を制御する通信システム及び方法を対象とする。
【背景技術】
【０００３】
広帯域符号分割多元接続（ＷＣＤＭＡ）は、第３世代パートナーシップ・プロジェクト（３ＧＰＰ）によって策定され、第３世代無線データ／電気通信システムで用いられるモバイル無線アクセス・ネットワークの規格である。
【０００４】
３ＧＰＰ  ＷＣＤＭＡへリリース６においてユーザ機器ノード（ＵＥ）から無線送受信機基地局（ノードＢ）への拡張アップリンク送信能力が導入された。拡張アップリンクは、低減したラウンドトリップ遅延、高いビットレート可用性及び増加したセル容量を有する向上したアップリンク・パケット・データのサポートを提供する。
【０００５】
３ＧＰＰ  ＷＣＤＭＡで、無線リソース制御（ＲＲＣ）プロトコルは、ＵＥとネットワークとの間の制御プレーン・シグナリングを処理する。ＵＥは、複数のＲＲＣ状態又はモードのうちの１つで動作できる。例えば、ＵＥは、接続がない場合にＲＲＣアイドル・モードで動作できる。接続されたモードにおいて、ＵＥは、ＣＥＬＬ＿ＤＣＨ（個別チャネル）状態、ＣＥＬＬ＿ＦＡＣＨ（フォワード・アクセス・チャネル）状態、ＣＥＬＬ＿ＰＣＨ（ページング・チャネル）状態又はＵＲＡ＿ＰＣＨ（ＵＲＡページング・チャネル）状態で動作するように指示されうる。
【０００６】
３ＧＰＰ  ＷＣＤＭＡリリース６で規定されるように、ＣＥＬＬ＿ＤＣＨ状態の間、ネットワーク・ノードは各ＵＥに個別リソースを割り当てる。
【０００７】
拡張アップリンクは、向上したアップリンク速度、例えば最大５．７６Ｍビット／秒を有する３ＧＰＰモバイル電話プロトコルを参照する。拡張アップリンクの機能は、容量及びスループットを増やし、遅延を減らすことによって、アップリンク個別トランスポート・チャネルの性能を向上することを目的とする。
【０００８】
ＵＥが拡張アップリンク・プロトコルを用いて送信する場合に、ＵＥは少なくとも３つの物理チャネル、すなわち個別物理制御チャネル（ＤＰＣＣＨ）と、拡張ＤＰＣＣＨ（Ｅ−ＤＰＣＣＨ）と、拡張個別物理データ・チャネル（Ｅ−ＤＰＤＣＨ）とでデータを送信し情報を制御する。ＤＰＣＣＨは、ノードＢによって既知のパイロットビットだけでなくレイヤ１制御情報を搬送する。パイロットビットは、無線チャネル状態（例えば、サーチャー、チャネル推定、周波数オフセット推定及び信号対干渉比）を推定するためにノードＢによってリファレンスとして用いられる。Ｅ−ＤＰＣＣＨは、拡張個別物理データ・チャネルに関する制御情報を搬送する。Ｅ−ＤＰＤＣＨはデータビットを搬送する。
【０００９】
現在、ＵＥはＣＥＬＬ＿ＦＡＣＨ状態からＣＥＬＬ＿ＤＣＨ状態に変わる場合に失敗することがあり、これによりネットワークの性能が低下しうる。
【発明の概要】
【００１０】
本明細書の一部の実施形態の目的は、ネットワークの性能を向上する仕組みを提供することである。特に、一部の実施形態は、通信システムのネットワーク・ノードへのデータのアップリンク送信を制御するためのユーザ機器ノードによる方法を提供する。前記方法は、ＣＥＬＬ＿ＦＡＣＨ状態における拡張アップリンクを構成するためのパラメータを受信する工程と、前記ユーザ機器ノードがＣＥＬＬ＿ＦＡＣＨ状態において拡張アップリンク個別チャネル（Ｅ−ＤＣＨ）で通信可能かを判定し、追加の所定の条件が満たされているかを判定する工程と、前記ユーザ機器ノードがＣＥＬＬ＿ＦＡＣＨ状態においてＥ−ＤＣＨで通信可能でないと判定したことに応答して、前記ユーザ機器ノードのための無線ネットワーク一時識別子（Ｅ−ＲＮＴＩ）値を取得するためにセル更新動作を実行する工程とを有する。従って、これらの方法は、例えばＣＥＬＬ＿ＦＡＣＨ状態からＣＥＬＬ＿ＤＣＨ状態へ切り替わる際の失敗の可能性を低減しうる。
【００１１】
前記ユーザ機器ノードがＣＥＬＬ＿ＦＡＣＨ状態においてＥ−ＤＣＨで通信可能かを判定する工程は、前記ユーザ機器ノードが使用可能なＥ−ＲＮＴＩ値を有するかを判定する工程を含んでもよい。
【００１２】
前記方法はまた、前記Ｅ−ＲＮＴＩ値が使用可能であると判定され、前記追加の所定の条件を満たしていると判定したことに応答して、前記ネットワーク・ノードへＥ−ＤＣＨトランスポート・チャネルでアップリンク・データを送信する工程を含んでもよい。
【００１３】
前記追加の所定の条件は、前記ユーザ機器ノードがＣＥＬＬ＿ＦＡＣＨ状態におけるＥ−ＤＣＨ送信をサポートするかと、情報要素“ＨＳ−ＤＳＣＨ共通システム情報”が前記ネットワーク・ノードから受信されたかと、情報要素“共通Ｅ−ＤＣＨシステム・インフォ”が前記ネットワーク・ノードから受信されたかとを含む。
【００１４】
前記ネットワーク・ノードへＥ−ＤＣＨトランスポート・チャネルでアップリンク・データを送信する工程は、Ｅ−ＲＮＴＩ値が利用可能であり且つ前記追加の所定の条件を満たしていると判定したことに応答して、前記ネットワーク・ノードへＥ−ＤＣＨトランスポート・チャネルでアップリンク・データを送信する工程を更に含んでもよい。
【００１５】
前記方法は、前記追加の所定の条件のいずれかが満たされないと判定したことに応答して、ランダム・アクセス・チャネル（ＲＡＣＨ）でＣＥＬＬ＿ＦＡＣＨ状態においてデータを送信する工程を含んでもよい。
【００１６】
前記方法は、前記ユーザ機器ノードが使用可能なＥ−ＲＮＴＩ値を有していないと判定したことに応答して、ランダム・アクセス・チャネル（ＲＡＣＨ）でＣＥＬＬ＿ＦＡＣＨ状態においてデータを送信する工程を更に含んでもよい。
【００１７】
一部の実施形態では、前記方法は、前記ユーザ機器ノードがＣＥＬＬ＿ＦＡＣＨ状態で動作中に、
１）前記ユーザ機器ノードがＣＥＬＬ＿ＦＡＣＨ状態における拡張アップリンク個別チャネル（Ｅ−ＤＣＨ）送信をサポートするという条件と、
２）情報要素“ＨＳ−ＤＳＣＨ共通システム情報”が、受信したシステム情報ブロック・タイプ５又は５の２に含まれるという条件と、
３）情報要素“共通Ｅ−ＤＣＨシステム・インフォ”が、前記受信したシステム情報ブロック・タイプ５又は５の２に含まれるという条件と、
４）変数拡張アップリンク個別チャネル（Ｅ−ＤＣＨ）無線ネットワーク一時識別子（Ｅ−ＲＮＴＩ）が前記ユーザ機器ノードで利用可能であるという条件と
が真であるかを判定する工程を含んでもよい。
【００１８】
前記方法は、前記条件の何れかが真でないと判定したことに応答して、前記ユーザ機器ノードで共通Ｅ−ＤＣＨ動作の準備ができていることを示す前記ユーザ機器ノード内の変数にＦＡＬＳＥを示す値を設定する工程を更に含んでもよい。
【００１９】
前記方法は、前記条件のすべてが真であると判定したことに応答して、前記変数にＴＲＵＥを示す値を設定する工程を更に含んでもよい。
【００２０】
前記方法は、ランダム・アクセス・チャネル（ＲＡＣＨ）トランスポート・チャネルでＣＥＬＬ＿ＦＡＣＨ状態におけるアップリンク・データの送信を続けることによって、ＣＥＬＬ＿ＦＡＣＨ状態における拡張アップリンクと、ＦＡＬＳＥを示す値を有する前記変数とを構成するためのパラメータを前記ネットワーク・ノードから受信したことに応答する工程を更に含んでもよい。
【００２１】
前記方法は、Ｅ−ＤＣＨトランスポート・チャネルでアップリンク・データの送信を開始することによって、ＣＥＬＬ＿ＦＡＣＨ状態における拡張アップリンクと、ＴＲＵＥを示す値を有する前記変数とを構成するためのパラメータを前記ネットワーク・ノードから受信したことに応答する工程を更に含んでもよい。
【００２２】
前記方法は、前記ユーザ機器ノードが使用可能なＥ−ＲＮＴＩ値を有しないと判定したことに応答して、Ｅ−ＲＮＴＩ値を取得するためにセル更新動作を実行する工程を更に含んでもよい。
【００２３】
一部の実施形態による通信システムのネットワーク・ノードへのデータのアップリンク送信を制御するためのユーザ機器ノードによる方法は、前記ネットワーク・ノードから拡張アップリンク個別チャネル（Ｅ−ＤＣＨ）送信に関する情報要素を受信する工程と、前記情報要素を受信したことに応答して、前記ユーザ機器ノードが利用可能なＥ−ＤＣＨ無線ネットワーク一時識別子（Ｅ−ＲＮＴＩ）を有するかを判定する工程と、前記情報要素を受信し、前記ユーザ機器ノードが利用可能なＥ−ＲＮＴＩを有していないと判定したことに応答して、セル更新動作を実行する工程とを含む。
【００２４】
前記情報要素は“共通Ｅ−ＤＣＨシステム・インフォ”情報要素を含んでもよい。
【００２５】
一部の実施形態に係るユーザ機器ノードは、送受信機と、前記送受信機に結合されたプロセッサとを含む。前記プロセッサは、ＣＥＬＬ＿ＦＡＣＨ状態における拡張アップリンクを構成するためのパラメータを前記送受信機を用いて受信し、前記ユーザ機器ノードがＣＥＬＬ＿ＦＡＣＨ状態においてＥ−ＤＣＨで通信可能かを判定し、前記ユーザ機器ノードがＣＥＬＬ＿ＦＡＣＨ状態においてＥ−ＤＣＨで通信可能でないと判定したことに応答して、Ｅ−ＲＮＴＩ値を取得するためにセル更新動作を実行するように構成される。
【００２６】
一部の実施形態において、前記ユーザ機器ノードは、前記ユーザ機器ノードがＣＥＬＬ＿ＦＡＣＨ状態においてＥ−ＤＣＨで通信できると判定したことに応答して、前記送受信機を用いてＥ−ＤＣＨトランスポート・チャネルでネットワーク・ノードへアップリンク・データを送信してもよい。
【００２７】
前記プロセッサは、ＣＥＬＬ＿ＦＡＣＨ状態における拡張アップリンクを構成するための前記パラメータを受信したことに応答して、追加の所定の条件を満たしているかを判定するように更に構成されてもよい。
【００２８】
前記追加の所定の条件は、前記ユーザ機器ノードがＣＥＬＬ＿ＦＡＣＨ状態及び／又はアイドル・モードにおけるＥ−ＤＣＨ送信をサポートするかと、情報要素“ＨＳ−ＤＳＣＨ共通システム情報”がネットワーク・ノードから受信されたかと、情報要素“共通Ｅ−ＤＣＨシステム・インフォ”が前記ネットワーク・ノードから受信されたかとを含んでもよい。
【００２９】
前記プロセッサは、前記Ｅ−ＲＮＴＩ値が使用可能であり且つ前記追加の所定の条件を満たしていると判定したことに応答して、ネットワーク・ノードへＥ−ＤＣＨトランスポート・チャネルでアップリンク・データを送信するように更に構成されてもよい。
【００３０】
前記プロセッサは、前記追加の所定の条件のいずれかが満たされないと判定したことに応答して、ランダム・アクセス・チャネル（ＲＡＣＨ）でＣＥＬＬ＿ＦＡＣＨ状態においてデータを送信するように更に構成されてもよい。
【００３１】
前記プロセッサは、前記ユーザ機器ノードが使用可能なＥ−ＲＮＴＩ値を有していないと判定したことに応答して、ランダム・アクセス・チャネル（ＲＡＣＨ）でＣＥＬＬ＿ＦＡＣＨ状態においてデータを送信するように更に構成されてもよい。
【００３２】
前記プロセッサは、前記ユーザ機器ノードがＣＥＬＬ＿ＦＡＣＨ状態においてＥ−ＤＣＨで通信できないと判定したことに応答して、ランダム・アクセス・チャネル（ＲＡＣＨ）でＣＥＬＬ＿ＦＡＣＨ状態においてデータを送信するように更に構成されてもよい。
【図面の簡単な説明】
【００３３】
添付の図面は、本開示の更なる理解を提供することを目的とするものであり、本願に組み込まれて本願の一部を構成し、本発明のある非限定的な実施形態（群）を説明する。
【００３４】
【図１】本明細書に開示される一部の実施形態に従って動作するように構成されうる通信システムのブロック図。
【００３５】
【図２】、
【図３】、
【図４】、
【図５】本明細書に開示される一部の実施形態に従ってＵＥによって実行されうる動作及び方法のフローチャートを説明する図。
【００３６】
【図６】本明細書に開示される一部の実施形態に従って構成されるＵＥのブロック図。
【００３７】
【図７】本明細書に開示される一部の実施形態に従って構成されるネットワーク・ノードのブロック図。
【発明を実施するための形態】
【００３８】
以下の詳細な説明において、本発明の完全な理解を与えるために多数の特定の詳細が説明される。しかし、本発明がこれらの特定の詳細以外に実施されてもよいことが当業者に理解されよう。他の例では、本発明を不明確にしないようにするために、周知の方法、手続き、コンポーネント及び回路は詳細に記載されていない。本明細書に開示されるすべての実施形態は別々に実施されてもよいし、任意の方法及び／又は組み合わせで組み合されてもよいことが意図される。
【００３９】
本明細書に開示される様々な実施形態は、“ユニバーサル・モバイル・テレコミュニケーションズ・システム（ＵＭＴＳ）無線リソース制御（ＲＲＣ）プロトコル仕様書”という名称の３ＧＰＰ  ＥＴＳＩ  ＴＳ２５．３３１、バージョン１０．８．０、リリース１０（２０１２年７月）に開示される方法及び装置と連動して動作する方法及び装置を対象としており、この文書はその全体が参照により本明細書に組み込まれる。しかし、本発明は、この特定の規格や、ＷＣＤＭＡ  ３ＧＰＰ第３世代通信システムに限定されない。本発明は、他のタイプのネットワーク・ノード、ＵＥ、及び３ＧＰＰロング・ターム・エボリューション（ＬＴＥ）システムを含むがこれに限定されない通信システムで実施されてもよい。
【００４０】
例示の第３世代通信システム１００が図１に示される。システム１００は、無線エア・インタフェースを通じて無線送受信機基地局（ノードＢ）１２０と通信する複数のユーザ機器ノード（ＵＥ）を含む。ノードＢ１２０は、無線ネットワーク制御装置（ＲＮＣ）１３０によって制御され、コア・ネットワーク１４０に接続される。ノードＢ１２０及びＲＮＣ１３０は、参照の簡便さのために、用語の範囲を制限することなく、本明細書で“ネットワーク”と呼ばれる。
【００４１】
図１のＵＥ１１０は、モバイル電話（“セルラー”電話）、データ端末及び／又は例えばポータブル・コンピュータ、ポケット・コンピュータ、ハンドヘルド・コンピュータ、ラップトップ・コンピュータ、電子書籍リーダ及びビデオゲーム機のような無線通信能力を有する他の処理デバイスを含んでもよいが、これらに限定されない。
【００４２】
ＣＥＬＬ＿ＦＡＣＨ状態及びアイドル・モードにおける拡張アップリング送信のサポートは３ＧＰＰ  ＷＣＤＭＡリリース８で導入された。ＣＥＬＬ＿ＦＡＣＨ状態及びＣＥＬＬ＿ＤＣＨ状態において、ＵＥ１１０は、Ｅ−ＤＰＤＣＨでのデータの送信のためにネットワーク・ノードによってセットアップされた共通拡張アップリンク・リソースを利用できる。ＣＥＬＬ＿ＦＡＣＨ状態における拡張アップリンクはまた、共通拡張アップリンク・リソース（ＣＥＬＬ＿ＦＡＣＨ状態）から個別拡張アップリンク・リソース（ＣＥＬＬ＿ＤＣＨ状態）への移行が行われるシームレスなＲＲＣコネクション・セットアップ処理を提供してもよい。
【００４３】
ＵＥ１１０がＣＥＬＬ＿ＦＡＣＨ状態においてＥ−ＤＰＤＣＨでデータを送信する場合に、共通ネットワーク・リソースを利用する。ＵＥ１１０がより長い時間、リソースを使用する必要がある場合に、無線ネットワーク制御装置（ＲＮＣ）１３０はＵＥ１１０をＣＥＬＬ＿ＦＡＣＨ状態からＣＥＬＬ＿ＤＣＨ状態へ切り替えうる。ＵＥ１１０が個別チャネル状態に切り替わる場合に、共通リソースが解放され、ネットワークは個別リソースをＵＥ１１０へ割り当てる。ノードＢ１２０のアップリンク・レイヤ１処理について、ＣＥＬＬ＿ＦＡＣＨ状態からＣＥＬＬ＿ＤＣＨ状態への切り替えは、タイミング変更、アップリンク（ＵＬ）スクランブリング・コードの変更、及び場合によっては送信時間間隔（ＴＴＩ）の変更を引き起こしうる。最大データレートにおける変更も存在してもよく、それ故、目標信号対干渉比（ＳＩＲ）における変更も存在しうる。
【００４４】
ネットワークがＣＥＬＬ＿ＦＡＣＨ状態及びアイドル・モードにおける拡張アップリンクを構成するためのパラメータを同報し始める場合に、ＣＥＬＬ＿ＦＡＣＨ状態で動作中のＵＥ１００は、自身のデータを送信するために拡張アップリンク個別チャネル（Ｅ−ＤＣＨ）を使用することを仕様書によって強制される。これを行うために、ＵＥ１１０は、Ｅ−ＤＣＨ無線ネットワーク一時識別子（Ｅ−ＲＮＴＩ）及び適切に構成された無線ベアラ（ＲＢ）多重化オプションを有する必要がある。
【００４５】
しかし、上記で説明したシナリオでは、ＣＥＬＬ＿ＦＡＣＨ状態で動作中のＵＥがネットワークからＥ−ＲＮＴＩをまだ受信していないかもしれないので、問題が生じる。
【００４６】
システム情報ブロック（ＳＩＢ）は、ネットワークへアクセスするためにＵＥ１１０によって用いられるパラメータを含む。ＣＥＬＬ＿ＦＡＣＨ状態及びアイドル・モードにおける拡張アップリンクを構成するためにネットワークがＵＥ１１０へＳＩＢパラメータを同報する場合に、ＣＥＬＬ＿ＦＡＣＨ状態及びアイドル・モードにおける拡張アップリンクをサポートするリリース８対応ＵＥは、規定のランダム・アクセス手続きを実行した後に、自身のデータを拡張アップリンク個別チャネル（Ｅ−ＤＣＨ）で送信するだろう。
【００４７】
ネットワークはＳＩＢをいつでも変更できる。ＳＩＢが修正された場合に、ネットワークは、ＵＥ１１０をページングすることによって、修正の発生をＵＥ１１０に示す。ＵＥ１１０は、ＳＩＢ情報を取得するように動作することによって応答する。
【００４８】
特定の時点で、ネットワークがＣＥＬＬ＿ＦＡＣＨ状態及びアイドル・モードにおける拡張アップリンクを構成するためのパラメータを有効化する（同報し始める）ならば、この機能をサポートするＵＥ１１０は変数の集合を評価する。これらのうち、変数ＲＥＡＤＹ＿ＦＯＲ＿ＣＯＭＭＯＮ＿ＥＤＣＨは、ＵＥがＣＥＬＬ＿ＦＡＣＨ状態及びアイドル・モードにおける拡張アップリンクを構成すべきかを判定するためにＵＥによって用いられる。ＵＥが変数ＲＥＡＤＹ＿ＦＯＲ＿ＣＯＭＭＯＮ＿ＥＤＣＨにＴＲＵＥを示す値を設定する場合に、ＵＥは自身のデータを送信するためにＥ−ＤＣＨを用いることを仕様書によって強制される。“ユニバーサル・モバイル・テレコミュニケーションズ・システム（ＵＭＴＳ）無線リソース制御（ＲＲＣ）プロトコル仕様書”という名称の３ＧＰＰ  ＥＴＳＩ  ＴＳ２５．３３１によれば、ＵＥが以下の２つの条件の何れかを満たすと判定した場合に、変数ＲＥＡＤＹ＿ＦＯＲ＿ＣＯＭＭＯＮ＿ＥＤＣＨはＴＲＵＥを示す値に設定される。
条件１）ＵＥがＣＥＬＬ＿ＦＡＣＨ状態又はアイドル・モードである場合に、
ｉ）ＵＥがＣＥＬＬ＿ＦＡＣＨ状態及びアイドル・モードにおけるＥ−ＤＣＨ送信をサポートし、
ｉｉ）情報要素（ＩＥ）“ＨＳ−ＤＳＣＨ共通システム情報”が、システム情報ブロック・タイプ５又は５の２に含まれ、
ｉｉｉ）ＩＥ“共通Ｅ−ＤＣＨシステム・インフォ”が、システム情報ブロック・タイプ５又は５の２に含まれる。
条件２）ＵＥがＣＥＬＬ＿ＰＣＨ状態にある場合に、
ｉ）ＵＥがＣＥＬＬ＿ＦＡＣＨ状態及びアイドル・モードにおけるＥ−ＤＣＨ送信をサポートし、
ｉｉ）ＵＥがＣＥＬＬ＿ＰＣＨ状態及びＵＲＡ＿ＰＣＨ状態におけるＨＳ−ＤＳＣＨ受信をサポートし、
ｉｉｉ）ＩＥ“ＨＳ−ＤＳＣＨページング・システム情報”が、システム情報ブロック・タイプ５又は５の２に含まれ、
ｉｖ）ＩＥ“共通Ｅ−ＤＣＨシステム情報”は、システム情報ブロック・タイプ５又は５の２に含まれ、
ｖ）変数Ｈ−ＲＮＴＩが設定され、
ｖｉ）変数Ｅ−ＲＮＴＩが設定され、
ｖｉｉ）変数Ｃ＿ＲＮＴＩが設定されている。
【００４９】
ＣＥＬＬ＿ＦＡＣＨ状態で動作中にＥ−ＤＣＨ（例えば、個別制御チャネル―ＤＣＣＨ及び／又は個別トラフィック・チャネル―ＤＴＣＨデータ）でアップリンク・データを送信できるようにするために、ＵＥは、少なくともＥ−ＲＮＴＩ（Ｅ−ＤＣＨ無線ネットワーク一時識別子）を有するべきである。
【００５０】
ＣＥＬＬ＿ＦＡＣＨ状態において、ネットワークはＲＲＣシグナリングを介してＥ−ＲＮＴＩをＵＥへ割り当ててもよい。例えば、“セル更新確認”及び“ＲＢ再構成”は、Ｅ−ＲＮＴＩをＵＥへ通信するためにネットワークによって送信されうるメッセージである。
【００５１】
無線ベアラ（ＲＢ）多重化オプションは、（１）ＵＥが、ＩＥ“ＲＢマッピング・インフォ”、ＩＥ“ＣＣＣＨマッピング・インフォ”、ＩＥ“ＳＲＢ１マッピング・インフォ”及び／又はＩＥ“トランスポート・フォーマット・セット”を受信したことに応じて、（２）チャネルをトランスポートする際にＭＡＣ−ｄフロー、ＭＡＣ−ｅｈｓリオーダリング・キュー又はＥ−ＤＣＨ  ＭＡＣ−ｄフローが追加又は削除されたことに応じて、（３）ＵＥがセル再選択又は状態遷移を実行する場合に応じて、又は（４）ＵＥが無線ベアラ（ＲＢ）を解放する場合に応じて更新される。
【００５２】
ＣＥＬＬ＿ＦＡＣＨ状態及びアイドル・モードにおける拡張アップリンクがネットワークによって構成されない場合、すなわち情報要素（ＩＥ）“共通Ｅ−ＤＣＨシステム・インフォ”がネットワークによって同報されない場合に、ＵＥ１１０がＣＥＬＬ＿ＦＡＣＨ状態であるときにＵＥ１１０はＥ−ＲＮＴＩを有しない又は維持しない。
【００５３】
ＣＥＬＬ＿ＦＡＣＨ状態及びアイドル・モードにおける拡張アップリングを構成するためのパラメータをネットワークが同報し始めた場合に、ＣＥＬＬ＿ＦＡＣＨ状態で動作中のＵＥ１１０は、自身のデータを送信するためにＥ−ＤＣＨを用いることが仕様書によって強制される。上述のように、ＵＥは、Ｅ−ＤＣＨで送信できるようになるために、Ｅ−ＲＮＴＩ及び正しいＵＬ  ＲＢ多重化オプションが必要である。しかし、この状況で、ＣＥＬＬ＿ＦＡＣＨ状態で動作中のＵＥ１１０はＥ−ＲＮＴＩを有していないかもしれず、それ故、Ｅ−ＤＣＨでデータを常に送信すべきではない。ＴＳ２５．３１１や他の関連する仕様書にこの状況は開示されておらず、さらに、この状況に対して取り得る解決策はどこにも提案されていない。
【００５４】
本明細書に開示され図２に説明される１つの実施形態によれば、ＣＥＬＬ＿ＦＡＣＨ状態及びアイドル・モードにおける拡張アップリンクを構成するためのパラメータをＵＥがネットワークから受信したこと（ブロック２００）に応答して、ＵＥ１１０は、使用可能なＥ−ＲＮＴＩ値を有しているかどうか、そして一部の実施形態では他の所定の条件が満たされるかどうかを判定する（ブロック２０２）。他の所定の条件は、ＵＥ１１０がＣＥＬＬ＿ＦＡＣＨ状態及びアイドル・モードにおけるＥ−ＤＣＨ送信をサポートするかどうか、ＩＥ“ＨＳ−ＤＳＣＨ共通システム情報”がネットワークから受信されたかどうか、及び／又はＩＥ“共通Ｅ−ＤＣＨシステム・インフォ”がネットワークから受信されたかどうかを含んでもよい。Ｅ−ＲＮＴＩ値が使用可能であり、他の所定の条件が満たされる場合に、ＵＥ１１０はＥ−ＤＣＨトランスポート・チャネルでアップリンク・データを送信し始める（ブロック２０４）。しかし、対照的に、Ｅ−ＲＮＴＩ値が使用可能でないか、及び／又は他の所定の条件が満たされないとＵＥ１１０が判定した場合に、ＵＥ１１０は、ＲＡＣＨトランスポート・チャネルでＣＥＬＬ＿ＦＡＣＨ状態において自身のアップリンク・データを送信し続ける（ブロック２０６）。
【００５５】
図３及び図４に説明される更なる実施形態では、ＵＥ１１０がＣＥＬＬ＿ＦＡＣＨ状態で動作中に、ＵＥは以下の条件のすべてがＴＲＵＥであると判定されたこと（ブロック３００）に応答して、変数ＲＥＡＤＹ＿ＦＯＲ＿ＣＯＭＭＯＮ＿ＥＤＣＨにＴＲＵＥを示す値を設定する（ブロック３０２）。
１）ＵＥ１１０がＣＥＬＬ＿ＦＡＣＨ状態及びアイドル・モードにおけるＥ−ＤＣＨ送信をサポートする。
２）ＩＥ“ＨＳ−ＤＳＣＨ共通システム情報”が、受信したシステム情報ブロック・タイプ５又は５の２に含まれる。
３）ＩＥ“共通Ｅ−ＤＣＨシステム・インフォ”が、受信したシステム情報ブロック・タイプ５又は５の２に含まれる。
４）変数Ｅ−ＲＮＴＩが設定されている（例えば、ＵＥによる送信中に利用可能である）。
【００５６】
ＵＥ１１０によって上記条件（１）〜（４）の何れか１つがＴＲＵＥでないと判定された場合に（ブロック３００）、変数ＲＥＡＤＹ＿ＦＯＲ＿ＣＯＭＭＯＮ＿ＥＤＣＨはＦＡＬＳＥを示す値に設定される（ブロック３０４）。
【００５７】
ＣＥＬＬ＿ＦＡＣＨ状態及びアイドル・モードにおける拡張アップリンクを構成するためのパラメータをＵＥ１１０がネットワークから受信したこと（ブロック４００）に応答して、ＵＥ１１０は、変数ＲＥＡＤＹ＿ＦＯＲ＿ＣＯＭＭＯＮ＿ＥＤＣＨに、ＴＲＵＥを示す値が設定されているか、ＦＡＬＳＥを示す値が設定されているかを判定する。値がＴＲＵＥを示す場合に、ＵＥ１１０は、Ｅ−ＤＣＨトランスポート・チャネルでアップリンク・データを送信し始める（ブロック４０４）。対照的に、値がＦＡＬＳＥを示す場合に、ＵＥ１１０は、ランダム・チャネル（ＲＡＣＨ）トランスポート・チャネルでＣＥＬＬ＿ＦＡＣＨ状態において自身のアップリンク・データを送信し続ける（ブロック４０６）。
【００５８】
条件が満たされる（例えば、ＴＲＵＥ）であるかどうかの判定（ブロック３００）は、ＣＥＬＬ＿ＦＡＣＨ状態及びアイドル・モードにおける拡張アップリンクを構成するためのパラメータをＵＥ１１０がネットワークから受信したこと（ブロック４００）に応答してＵＥ１１０によって実行されてもよいが、当該判定（ブロック３００）はこれに代えて又はこれに加えて、他の所定のイベントに応答して実行されてもよい。
【００５９】
本明細書に開示され図５に説明される別の実施形態によれば、ＩＥ“共通Ｅ−ＤＣＨシステム・インフォ”がネットワークによって同報されるようにシステム情報ブロック（ＳＩＢ）が変更された場合に、ＵＥ１１０は、（例えばＵＥに格納された）利用可能なＥ−ＲＮＴＩを有するかどうかを判定すること（ブロック５０２）によってＩＥ“共通Ｅ−ＤＣＨシステム・インフォ”の受信に応答する（ブロック５００）。Ｅ−ＲＮＴＩが利用可能でない場合に、ＵＥ１１０はセル更新動作を実行する（ブロック５０４）。それによって、ＵＥ１１０は、命令された場合にＥ−ＤＣＨでのアップリンク・データの送信を始めるために一層準備が整った状態になるために、セル更新動作を通じてＥ−ＲＮＴＩを取得するように試みることができる。
【００６０】
図２〜図４の文脈で本明細書に説明された実施形態は、Ｅ−ＤＣＨでアップリンク・データを送信すべきであるがこのような送信の間に使用可能なＥ−ＲＮＴＩを有していない所定の条件が満たされるという不確定な状態にＵＥがなることを回避できる。これらの実施形態は、Ｅ−ＲＮＴＩの可用性を、ＵＥがＥ−ＤＣＨで送信する予想に先行する条件とする。さらに、図５の文脈で説明される実施形態は、ＳＩＢが変わる際にネットワークがＩＥ“共通Ｅ−ＤＣＨシステム・インフォ”を同報する場合にセル更新動作を通じてＵＥが能動的にＥ−ＲＮＴＩを取得するように試みることを可能にする。
【００６１】
ユーザ機器ノード及びネットワーク・ノード構成の例
図６は一部の実施形態に従って構成される図１のユーザ機器ノード（ＵＥ）１１０のブロック図である。ＵＥ１１０は、送受信機６１０と、プロセッサ回路６００と、機能モジュール６２２を含むメモリ・デバイス（群）６２０とを含む。ＵＥ１１０は、ディスプレイ６３０と、ユーザ入力インタフェース６３２と、スピーカ６３４とを更に含んでもよい。
【００６２】
送受信機６１０（例えば、ＷＣＤＭＡ、ＬＴＥ又は他のセルラー送受信機、Ｂｌｕｅｔｏｏｔｈ（登録商標）送受信機、ＷｉＦｉ（登録商標）送受信機、ＷｉＭａｘ（登録商標）送受信機等）は、ノードＢ１２０又は通信システム１００若しくは別の通信システムの別のネットワーク・ノードと通信するように構成される。プロセッサ回路６００は、汎用プロセッサ及び／又は特定用途プロセッサ（例えば、マイクロプロセッサ及び／又はデジタル信号プロセッサ）のような１つ以上のデータ処理回路を含んでもよい。プロセッサ回路６００は、ＵＥによって実行されるものとして本明細書に記載される図１〜図５の動作及び方法の少なくとも一部を実行するために、コンピュータ可読媒体として以下に説明されるメモリ・デバイス（群）６２０の機能モジュール６２２からのコンピュータ・プログラム命令を実行するように構成される。例えば、一部の実施形態に従うＵＥは、送受信機と、当該送受信機に結合されたプロセッサとを含んでもよく、当該プロセッサは、ＣＥＬＬ＿ＦＡＣＨ状態における拡張アップリンクを構成し、ユーザ機器ノードが使用可能な拡張アップリンク個別チャネル（Ｅ−ＤＣＨ）無線ネットワーク一時識別子（Ｅ−ＲＮＴＩ）値を有するかどうかを判定し、ユーザ機器ノードが使用可能なＥ−ＲＮＴＩ値を有していないと判定されたことに応答してランダム・アクセス・チャネル（ＲＡＣＨ）でＣＥＬＬ＿ＦＡＣＨ状態においてデータを送信するために、送受信機を用いてパラメータを受信するように構成される。
【００６３】
図７は一部の実施形態に従って構成されるネットワーク・ノード１２０／１３０（例えば、ノードＢ１２０及び／又はＲＮＣ１３０）又は別のネットワーク・ノードのブロック図である。ネットワーク・ノード１２０／１３０は送受信機７１０と、ネットワーク・インタフェース（群）７３０と、プロセッサ回路７００と、機能モジュール７２２を含むメモリ・デバイス（群）７２０とを含む。
【００６４】
送受信機７１０（例えば、ＷＣＤＭＡ、ＬＴＥ又は他のセルラー送受信機、Ｂｌｕｅｔｏｏｔｈ送受信機、ＷｉＦｉ送受信機、ＷｉＭａｘ送受信機等）は、ＵＥ１１０又は通信システム１００若しくは別の通信システムの別のノードと通信するように構成される。プロセッサ回路７００は、汎用プロセッサ及び／又は特定用途プロセッサ（例えば、マイクロプロセッサ及び／又はデジタル信号プロセッサ）のような１つ以上のデータ処理回路を含んでもよい。プロセッサ回路７００は、ネットワークによって実行されるものとして本明細書に記載される図１〜図５の動作及び方法の少なくとも一部を実行するために、コンピュータ可読媒体として以下に説明されるメモリ・デバイス（群）７２０の機能モジュール７２２からのコンピュータ・プログラム命令を実行するように構成される。
略語
3GPP   第３世代パートナーシップ・プロジェクト(3rd Generation Partnership Project)
CCCH   共通制御チャネル(Common Control Channel)
DCCH   個別制御チャネル(Dedicated Control Channel)
DTCH   個別トラフィック・チャネル(Dedicated Traffic Channel)
E-DCH  拡張アップリンク個別チャネル(Enhanced Uplink Dedicated Channel)
E-RNTI Ｅ−ＤＣＨ無線ネットワーク一時識別子(E-DCH Radio Network Temporary Identifier)
IE     情報要素(Information Element)
RACH   ランダム・アクセス・チャネル(Random Access Channel)
RB     無線ベアラ(Radio Bearer)
RRC    無線リソース制御装置(Radio Resource Controller)
SIB    システム情報ブロック(System Information Block)
UE     ユーザ機器ノード(User Equipment Node)
UL     アップリンク(UpLink)
UTRAN  ユニバーサル地上波無線アクセス・ネットワーク(Universal Terrestrial Radio Access Network)
【００６５】
更なる定義及び実施形態
本発明の様々な実施形態の上記説明では、本明細書で用いられる用語が単に特定の実施形態を説明することを目的とするものであり、本発明を限定する意図がないことが理解されよう。別段の記載がない限り、本明細書で用いられるすべての用語（技術用語及び学術用語を含む）は、本発明が属する分野の当業者に一般に理解されるものと同じ意味を有する。一般に使用される辞書に規定されるような用語は本明細書及び関連技術の文脈での意味に整合する意味を有すると解釈されるべきであり、本明細書で定義される理想的又は過度に形式的な意味で解釈されない。
【００６６】
ノードが別のノードに“接続され（connected）”、“結合され（coupled）”、“応答して（responsive）”又はこれらの変形と称される場合に、当該別のノードに直接に接続され、直接に結合され又は直接に応答してもよいし、介在するノードが存在してもよい。対照的に、ノードが別のノードに“直接に接続され（connected）”、“直接に結合され（coupled）”、“直接に応答して（responsive）”又はこれらの変形と称される場合に、介在するノードは存在しない。全体を通じて同様の符号は同様のノードを指す。さらに、本明細書で用いられる“結合され”、“接続され”、“応答して”又はこれらの変形は、無線で結合され、無線で接続され又は無線で応答することを含んでもよい。本明細書で用いられるように、単数形“ａ”、“ａｎ”及び“ｔｈｅ”は、文脈が明らかにそうでないことを示さない限り、複数形も含むものとして意図される。簡潔さ及び／又は明確さのために、周知の機能又は構成は詳細には記載されない場合がある。“及び／又は（and/or）”という用語は関連する列挙された項目のうちの１つ以上の任意且つすべての組合せを含む。
【００６７】
本明細書で用いられる際に、“備える（comprise）”、“備えている（comprising）”、“備える（comprises）”、“含む（include）”、“含んでいる（including）”、“含む（includes）”、“有する（have）”、“有する（has）”、“有している（having）”又はこれらの変形はオープンエンドであり、１つ以上の規定された特徴、整数、ノード、ステップ、コンポーネント又は機能を含むが、１つ以上の他の特徴、整数、ノード、ステップ、コンポーネント、機能及びこれらのグループの存在又は追加を排除しない。さらに、本明細書で用いられる際に、ラテン語の“exempli gratia”に由来する“e.g.”という一般的な略語は、前述した項目の汎用的な１つ以上の例を紹介又は特定するために用いられてもよく、このような項目に限定する意図はない。ラテン語の“id est”に由来する“i.e.”という一般的な略語は、より汎用的な記載から特定の項目を特定するために用いられてもよい。
【００６８】
本明細書で、コンピュータで実施される方法、装置（システム及び／又はデバイス）及び／又はコンピュータ・プログラム製品のブロック図及び／又はフローチャートの説明を参照して例示の実施形態が説明される。ブロック図及び／又はフローチャートの説明のブロック並びにブロック図及び／又はフローチャートの説明のブロックの組合せは、１つ以上のコンピュータ回路によって実行されるコンピュータ・プログラム命令によって実装されうる。これらのコンピュータ・プログラム命令は、汎用コンピュータ回路、特定用途コンピュータ回路及び又は機械を生産するための他のプログラマブル・データ処理回路のプロセッサ回路に提供されてもよく、その結果、コンピュータ及び／又は他のプログラマブル・データ処理装置のプロセッサを介して実行される命令は、トランジスタ、メモリ位置に格納された値及びこのような回路内の他のハードウェア・コンポーネントを変形及び制御して、ブロック図及び／又はフローチャート・ブロック又はブロック群で特定された機能／動作を実装し、それによってブロック図及び／又はフローチャート・ブロック（群）で特定される機能／動作を実装するための手段（機能）及び／又は構造を生成する。
【００６９】
これらのコンピュータ・プログラム命令はまた、コンピュータ可読媒体に格納された命令が、ブロック図及び／又はフローチャート・ブロック又はブロック群）で特定された機能／動作を実装する命令を含む製品を生産するように、コンピュータ又は他のプログラマブル・データ処理装置を特定の方法で機能するように命令できる有形のコンピュータ可読媒体に格納されてもよい。
【００７０】
有形で、一時的ではないコンピュータ可読媒体は、電気、磁気、光学、電磁気、又は半導体のデータ記憶システム、装置又はデバイスを含んでもよい。コンピュータ可読媒体のより具体的な例は以下を含むだろう。ポータブル・コンピュータ・ディスケット、ランダムアクセスメモリ（ＲＡＭ）回路、リードオンリメモリ（ＲＯＭ）回路、消去可能プログラマブル・リードオンリメモリ（ＥＰＲＯＭ又はフラッシュメモリ）回路、ポータブル・コンパクトディスク・リードオンリメモリ（ＣＤ−ＲＯＭ）及びポータブル・デジタルビデオディスク・リードオンリメモリ（ＤＶＤ／ＢｌｕＲａｙ（登録商標））。
【００７１】
コンピュータ・プログラム命令はまた、コンピュータで実施されるプロセスを生成するように一連の動作ステップがコンピュータ及び／又は他のプログラマブル装置で実行されるようにコンピュータ及び／又は他のプログラマブル・データ処理回路に読み出されてもよく、その結果、コンピュータ又は他のプログラマブル装置で実行される命令がブロック図及び／又はフローチャート・ブロック又はブロック群で特定される機能／動作を実施するためのステップを提供する。従って、本発明の実施形態は、ハードウェアで実施されてもよく、及び／又は“回路”、“モジュール”又はこれらの変形で集合的に呼ばれうるデジタル信号プロセッサのようなプロセッサで動作する（ファームウェア、常住ソフトウェア、マイクロコードなどを含む）ソフトウェアで実施されてもよい。
【００７２】
一部の変形の実施では、ブロックに記される機能／動作はフローチャートに記される順番以外で発生してもよいことにも留意されたい。例えば、連続して示される２つのブロックは、実際は、実質的に同時に実行されてもよく、伴う機能／動作に応じて当該ブロックは時には逆順で実行されてもよい。さらに、フローチャート及び／又はブロック図の所与のブロックの機能は複数のブロックに分割されてもよいし、及び／又はフローチャート及び／又はブロック図の２つ以上のブロックの機能は少なくとも部分的に統合されてもよい。最後に、説明されたブロックの間に他のブロックが追加／挿入されてもよい。さらに、ブロックの一部は通信の主要な方向を示すために通信経路上に矢印を含むが、通信は図示した矢印とは逆の方向に発生してもよいことが理解されよう。
【００７３】
多くの相異なる実施形態が上記説明及び図面に関連して本明細書で開示されてきた。これらの実施形態のすべての組合せ及びサブコンビネーションを文字通りに記載し説明することは過度に反復的であり難解であることが理解されうる。従って、図面を含む本明細書は、実施形態の様々な例示の組合せ及びサブコンビネーションの完全な記述及びこれらを作り用いる方法及び処理の完全な記述を構成すると解釈され、このような任意の組合せ又はサブコンピネーションでクレームをサポートする。
【００７４】
本発明の原理を実質的に逸脱せずに多くの変形及び修正が実施形態に対してなされうる。本明細書においてこのようなすべての変形及び修正が本発明の範囲に含まれることが意図される。
【図１】
2015530020.tif 000003
【図２】
2015530020.tif 000004
【図３】
2015530020.tif 000005
【図４】
2015530020.tif 000006
【図５】
2015530020.tif 000007
【図６】
2015530020.tif 000008
【図７】
2015530020.tif 000009
【手続補正書】
【提出日】平成26年5月15日(2014.5.15)
【手続補正１】
【補正対象書類名】特許請求の範囲
【補正対象項目名】全文
【補正方法】変更
【補正の内容】
【特許請求の範囲】
【請求項１】
通信システムのネットワーク・ノード（１２０）へのデータのアップリンク送信を制御するためのユーザ機器ノード（１１０）による方法であって、
前記ユーザ機器ノード（１１０）がＣＥＬＬ＿ＦＡＣＨ状態で動作中に、Ｅ−ＤＣＨ無線ネットワーク一時識別子、すなわちＥ−ＲＮＴＩ、が前記ユーザ機器ノード（１１０）で利用可能かを判定し（３００）、前記Ｅ−ＲＮＴＩが前記ユーザ機器ノード（１１０）で利用可能でないと判定したことに応答して、前記ユーザ機器ノード（１１０）内の変数ＲＥＡＤＹ＿ＦＯＲ＿ＣＯＭＭＯＮ＿ＥＤＣＨにＦＡＬＳＥを示す値を設定する（３０４）工程と、
前記ユーザ機器ノード（１１０）がＣＥＬＬ＿ＦＡＣＨ状態である間に、ＣＥＬＬ＿ＦＡＣＨ状態における拡張アップリンクを構成するためのパラメータを受信する工程（２００）と、
拡張アップリンクを構成するための前記パラメータを受信したことに応答して、前記ユーザ機器ノード（１１０）がＣＥＬＬ＿ＦＡＣＨ状態において拡張アップリンク個別チャネル、すなわちＥ−ＤＣＨ、で通信可能かを判定する工程（２０２）と、
前記ユーザ機器ノード（１１０）がＣＥＬＬ＿ＦＡＣＨ状態においてＥ−ＤＣＨで通信可能でないと判定したことに応答して、前記ユーザ機器ノード（１１０）のためのＥ−ＤＣＨ無線ネットワーク一時識別子、すなわちＥ−ＲＮＴＩ、値を取得するためにセル更新動作を実行する工程（５０４）とを有することを特徴とする方法。
【請求項２】
前記ユーザ機器ノード（１１０）がＣＥＬＬ＿ＦＡＣＨ状態においてＥ−ＤＣＨで通信可能かを判定する工程は、前記ユーザ機器ノード（１１０）が使用可能なＥ−ＲＮＴＩ値を有するかを判定する工程を含むことを特徴とする請求項１に記載の方法。
【請求項３】
前記ユーザ機器ノード（１１０）がＣＥＬＬ＿ＦＡＣＨ状態においてＥ−ＤＣＨで通信可能かを判定する工程は、追加の所定の条件を満たしているかを判定する工程を更に含むことを特徴とする請求項２に記載の方法。
【請求項４】
前記追加の所定の条件は、前記ユーザ機器ノード（１１０）がＣＥＬＬ＿ＦＡＣＨ状態におけるＥ−ＤＣＨ送信をサポートするかと、情報要素“ＨＳ−ＤＳＣＨ共通システム情報”が前記ネットワーク・ノード（１２０）から受信されたかと、情報要素“共通Ｅ−ＤＣＨシステム・インフォ”が前記ネットワーク・ノード（１２０）から受信されたかとを含むことを特徴とする請求項３に記載の方法。
【請求項５】
前記ユーザ機器ノード（１１０）が使用可能なＥ−ＲＮＴＩ値を有しており且つ前記追加の所定の条件を満たしていると判定したことに応答して、前記ネットワーク・ノード（１２０）へＥ−ＤＣＨトランスポート・チャネルでアップリンク・データを送信する工程を更に有することを特徴とする請求項４に記載の方法。
【請求項６】
前記追加の所定の条件のいずれかが満たされないと判定したことに応答して、ランダム・アクセス・チャネル、すなわちＲＡＣＨ、でＣＥＬＬ＿ＦＡＣＨ状態においてデータを送信する工程（２０６）を更に有することを特徴とする請求項４に記載の方法。
【請求項７】
前記ユーザ機器ノード（１１０）がＣＥＬＬ＿ＦＡＣＨ状態においてＥ−ＤＣＨで通信できないと判定したことに応答して、ランダム・アクセス・チャネル、すなわちＲＡＣＨ、でＣＥＬＬ＿ＦＡＣＨ状態においてデータを送信する工程（４０６）を更に有することを特徴とする請求項１乃至５の何れか１項に記載の方法。
【請求項８】
前記ユーザ機器ノード（１１０）がＣＥＬＬ＿ＦＡＣＨ状態においてＥ−ＤＣＨで通信できると判定したことに応答して、前記ネットワーク・ノード（１２０）へＥ−ＤＣＨトランスポート・チャネルでアップリンク・データを送信する工程を更に有することを特徴とする請求項１乃至７の何れか１項に記載の方法。
【請求項９】
前記ユーザ機器ノード（１１０）がＣＥＬＬ＿ＦＡＣＨ状態で動作中に、
１）前記ユーザ機器ノード（１１０）がＣＥＬＬ＿ＦＡＣＨ状態におけるＥ−ＤＣＨ送信をサポートするという条件と、
２）情報要素“ＨＳ−ＤＳＣＨ共通システム情報”が、受信したシステム情報ブロック・タイプ５又は５の２に含まれるという条件と、
３）情報要素“共通Ｅ−ＤＣＨシステム・インフォ”が、前記受信したシステム情報ブロック・タイプ５又は５の２に含まれるという条件と
が真であるかを判定する工程（３００）と、
前記条件の何れかが真でないと判定したことに応答して、前記ユーザ機器ノード（１１０）内の変数ＲＥＡＤＹ＿ＦＯＲ＿ＣＯＭＭＯＮ＿ＥＤＣＨにＦＡＬＳＥを示す値を設定する工程（３０４）とを更に有することを特徴とする請求項１乃至３の何れか１項に記載の方法。
【請求項１０】
前記条件のすべてが真であると判定したことに応答して、前記変数ＲＥＡＤＹ＿ＦＯＲ＿ＣＯＭＭＯＮ＿ＥＤＣＨにＴＲＵＥを示す値を設定する工程を更に有することを特徴とする請求項９に記載の方法。
【請求項１１】
ランダム・アクセス・チャネル、すなわちＲＡＣＨ、トランスポート・チャネルでＣＥＬＬ＿ＦＡＣＨ状態におけるアップリンク・データの送信を続けることによって、ＣＥＬＬ＿ＦＡＣＨ状態における拡張アップリンクと、ＦＡＬＳＥを示す値を有する前記変数ＲＥＡＤＹ＿ＦＯＲ＿ＣＯＭＭＯＮ＿ＥＤＣＨとを構成するためのパラメータを前記ネットワーク・ノード（１２０）から受信したことに応答する工程を更に有することを特徴とする請求項９又は１０に記載の方法。
【請求項１２】
Ｅ−ＤＣＨトランスポート・チャネルでアップリンク・データの送信を開始することによって、ＣＥＬＬ＿ＦＡＣＨ状態における拡張アップリンクと、ＴＲＵＥを示す値を有する前記変数ＲＥＡＤＹ＿ＦＯＲ＿ＣＯＭＭＯＮ＿ＥＤＣＨとを構成するためのパラメータを前記ネットワーク・ノード（１２０）から受信したことに応答する工程を更に有することを特徴とする請求項９又は１０に記載の方法。
【請求項１３】
前記ユーザ機器ノード（１１０）内の前記変数ＲＥＡＤＹ＿ＦＯＲ＿ＣＯＭＭＯＮ＿ＥＤＣＨにＦＡＬＳＥを示す前記値を設定したことに応答して、Ｅ−ＲＮＴＩ値を取得するためにセル更新動作を実行する工程（５０４）を更に有することを特徴とする請求項９乃至１２の何れか１項に記載の方法。
【請求項１４】
ＣＥＬＬ＿ＦＡＣＨ状態における拡張アップリンクを構成するためのパラメータを受信する工程は、前記ネットワーク・ノード（１２０）からＥ−ＤＣＨ送信に関する情報要素を受信する工程（５００）を含むことを特徴とする請求項１に記載の方法。
【請求項１５】
前記情報要素は“共通Ｅ−ＤＣＨシステム・インフォ”情報要素を含むことを特徴とする請求項１４に記載の方法。
【請求項１６】
ユーザ機器ノード（１１０）であって、
送受信機（６１０）と、
前記送受信機（６１０）に結合されたプロセッサ（６００）とを備え、
前記プロセッサ（６００）は、ＣＥＬＬ＿ＦＡＣＨ状態における拡張アップリンクを構成するためのパラメータを前記送受信機を用いて受信し、前記ユーザ機器ノード（１１０）がＣＥＬＬ＿ＦＡＣＨ状態においてＥ−ＤＣＨで通信可能かを判定し、前記ユーザ機器ノード（１１０）がＣＥＬＬ＿ＦＡＣＨ状態においてＥ−ＤＣＨで通信可能でないと判定したことに応答して、前記ユーザ機器ノード（１１０）のためのＥ−ＤＣＨ無線ネットワーク一時識別子、すなわちＥ−ＲＮＴＩ、値を取得するためにセル更新動作を実行するように構成され、
前記プロセッサは、前記ユーザ機器ノード（１１０）がＣＥＬＬ＿ＦＡＣＨ状態で動作中に、Ｅ−ＤＣＨ無線ネットワーク一時識別子、すなわちＥ−ＲＮＴＩ、が前記ユーザ機器ノード（１１０）で利用可能かを判定し、前記Ｅ−ＲＮＴＩが前記ユーザ機器ノード（１１０）で利用可能でないと判定したことに応答して、前記ユーザ機器ノード（１１０）内の変数ＲＥＡＤＹ＿ＦＯＲ＿ＣＯＭＭＯＮ＿ＥＤＣＨに偽を示す値を設定するように更に構成されることを特徴とするユーザ機器ノード（１１０）。
【請求項１７】
前記プロセッサは、前記ユーザ機器ノード（１１０）が使用可能なＥ−ＲＮＴＩ値を有するかを判定することによって、前記ユーザ機器ノード（１１０）がＣＥＬＬ＿ＦＡＣＨ状態においてＥ−ＤＣＨで通信可能かを判定するように構成されることを特徴とする請求項１６に記載のユーザ機器ノード（１１０）。
【請求項１８】
前記プロセッサは、ＣＥＬＬ＿ＦＡＣＨ状態における拡張アップリンクを構成するための前記パラメータを受信したことに応答して、追加の所定の条件を満たしているかを判定するように更に構成されることを特徴とする請求項１６又は１７に記載のユーザ機器ノード（１１０）。
【請求項１９】
前記追加の所定の条件は、前記ユーザ機器ノード（１１０）がＣＥＬＬ＿ＦＡＣＨ状態におけるＥ−ＤＣＨ送信をサポートするかと、情報要素“ＨＳ−ＤＳＣＨ共通システム情報”が前記ネットワーク・ノード（１２０）から受信されたかと、情報要素“共通Ｅ−ＤＣＨシステム・インフォ”が前記ネットワーク・ノード（１２０）から受信されたかとを含むことを特徴とする請求項１８に記載のユーザ機器ノード（１１０）。
【請求項２０】
前記プロセッサ（６００）は、前記ユーザ機器ノード（１１０）がＣＥＬＬ＿ＦＡＣＨ状態においてＥ−ＤＣＨで通信可能であり且つ前記追加の所定の条件を満たしていると判定したことに応答して、前記ネットワーク・ノード（１２０）へＥ−ＤＣＨトランスポート・チャネルでアップリンク・データを送信するように更に構成されることを特徴とする請求項１８又は１９に記載のユーザ機器ノード（１１０）。
【請求項２１】
前記プロセッサ（６００）は、前記追加の所定の条件のいずれかが満たされないと判定したことに応答して、ランダム・アクセス・チャネル、すなわちＲＡＣＨ、でＣＥＬＬ＿ＦＡＣＨ状態においてデータを送信するように更に構成されることを特徴とする請求項２０に記載のユーザ機器ノード（１１０）。
【請求項２２】
前記プロセッサ（６００）は、前記ユーザ機器ノード（１１０）がＣＥＬＬ＿ＦＡＣＨ状態においてＥ−ＤＣＨで通信できると判定したことに応答して、前記送受信機を用いてＥ−ＤＣＨトランスポート・チャネルでネットワーク・ノード（１２０）へアップリンク・データを送信するように更に構成されることを特徴とする請求項１６乃至２１の何れか１項に記載のユーザ機器ノード（１１０）。
【請求項２３】
前記プロセッサ（６００）は、前記ユーザ機器ノード（１１０）がＣＥＬＬ＿ＦＡＣＨ状態においてＥ−ＤＣＨで通信できないと判定したことに応答して、ランダム・アクセス・チャネル、すなわちＲＡＣＨ、でＣＥＬＬ＿ＦＡＣＨ状態においてデータを送信するように更に構成されることを特徴とする請求項１６乃至２１の何れか１項に記載のユーザ機器ノード（１１０）。
【国際調査報告】
2015530020.tif 000010
2015530020.tif 000011
2015530020.tif 000012